(57)【要約】【課題】装置内や風路に抗菌作用を持たせることができる換気装置を提供する。【解決手段】換気装置１Ａは、外気吸込口２４から空気を吸い込んで、給気風路２０ＳＡを通して給気吹出口２５から吹き出す送風ファン部２Ａと、給気風路２０ＳＡに、抗菌性を有した銀イオンを含む銀イオン水を供給する銀イオン供給装置３を備え、銀イオン供給装置３で給気風路２０ＳＡに供給された銀イオン水を、送風ファン部２Ａによる送風で乾燥させて、給気風路２０ＳＡに銀イオンを付着させる。これにより、室内に給気される空気が通る給気風路２０ＳＡに、銀イオンによる抗菌作用を持たせることができる。【選択図】        図１
2008309429.tif 000002
【特許請求の範囲】
【請求項１】
吸込口から空気を吸い込んで、給気風路を通して給気吹出口から吹き出す送風手段と、
前記給気風路に、金属イオンを含む金属イオン水を供給する金属イオン供給手段と
を備えたことを特徴とする送風装置。
【請求項２】
互いが仕切られた第１の熱交換風路と第２の熱交換風路を有し、前記第１の熱交換風路を通る空気と前記第２の熱交換風路を通る空気との間で熱交換が行われる熱交換手段と、
空気調和を行う空気調和手段とを備え、
前記金属イオン供給手段は、前記熱交換手段を通る前記給気風路に金属イオン水を供給する
ことを特徴とする請求項１記載の送風装置。
【請求項３】
室内吸込口から空気を吸い込んで、排気風路を通して排気口から排気する排気手段を備え、
前記金属イオン供給手段は、前記給気風路または前記給気風路と前記排気風路に金属イオン水を供給する
ことを特徴とする請求項１記載の送風装置。
【請求項４】
室内吸込口から空気を吸い込んで、排気風路を通して排気口から排気する排気手段と、
互いが仕切られた第１の熱交換風路と第２の熱交換風路を有し、前記第１の熱交換風路を前記給気風路と連通させると共に、前記第２の熱交換風路を前記排気風路と連通させて、前記外気吸込口から吸い込まれて前記給気風路を通る空気と前記室内吸込口から吸い込まれて前記排気風路を通る空気との間で熱交換を行う熱交換手段とを備え、
前記金属イオン供給手段は、前記熱交換手段を通る前記給気風路または前記給気風路と前記排気風路に金属イオン水を供給する
ことを特徴とする請求項１記載の送風装置。
【請求項５】
前記給気風路に、前記金属イオン供給手段で金属イオン水を供給すると共に、前記送風手段による送風で金属イオン水を乾燥させて、前記給気風路に金属を付着させる抗菌モードを備えた
ことを特徴とする請求項１〜４に何れか記載の送風装置。
【請求項６】
前記金属イオン供給手段で前記給気風路に供給された金属イオン水を、前記送風手段による送風で前記給気吹出口から室内に吹き出すと共に、室内に供給された金属イオン水を、送風手段による送風で乾燥させて、室内の抗菌対象物に金属を付着させる抗菌モードを備えた
ことを特徴とする請求項１〜５に何れか記載の送風装置。
【発明の詳細な説明】
【技術分野】
【０００１】
本発明は、室内へ空気を送風する送風装置に関する。
【背景技術】
【０００２】
従来から、外気を取り入れて室内の換気を行う換気装置が提案されている。このような換気装置としては、室内の空気と外気との間で熱交換を行い、外気を室内の温度に近づけて供給できるようにするため、熱交換素子を備えた換気装置が知られている（例えば、特許文献１参照）。
【０００３】
熱交換素子を備えた換気装置では、外気と室内の空気との温度差により装置内部で結露が発生する場合があり、結露した空気中の水分をドレンパン等で回収して排水できるようにすると共に、ドレンパンの清掃を行えるようにして、カビの発生等を抑えられるようにしている。
【０００４】
【特許文献１】特開２００６−２９７７９号公報
【発明の開示】
【発明が解決しようとする課題】
【０００５】
熱交換素子を備えた換気装置や、複数の部屋に外気を分配して給気する換気装置等は、建物の天井裏に設置される構成が多い。しかし、建物の天井裏に設置される換気装置では、フィルタ等により塵や埃を除去できるが、抗菌作用を得ることはできなかった。また、装置内部や空気が通るダクトの清掃は困難であり、ダクト内においても抗菌作用を得ることができなかった。
【０００６】
本発明は、このような課題を解決するためになされたもので、装置内や風路に抗菌作用を持たせることができる送風装置を提供することを目的とする。
【課題を解決するための手段】
【０００７】
上述した課題を解決するため、本発明の送風装置は、吸込口から空気を吸い込んで、給気風路を通して給気吹出口から吹き出す送風手段と、給気風路に、金属イオンを含む金属イオン水を供給する金属イオン供給手段とを備えたことを特徴とする。
【０００８】
本発明の送風装置では、抗菌性を有した金属イオンを含む金属イオン水が、金属イオン供給手段で給気風路に供給され、給気風路に供給された金属イオン水が、送風手段による送風で乾燥されて、給気風路に金属または金属の化合物（これらを総称して金属とする）が付着される。これにより、室内に給気される空気が通る給気風路に、金属イオン及び付着した金属による抗菌作用を持たせることができる。
【発明の効果】
【０００９】
本発明の送風装置によれば、装置内部や風路等に、金属イオン水による金属イオン及び金属を付着させることによる抗菌作用を持たせることができ、カビ等の発生を抑えることができる。
【発明を実施するための最良の形態】
【００１０】
以下、図面を参照して本発明の送風装置の実施の形態について説明する。
【００１１】
＜第１の実施の形態の換気装置の構成例＞
図１は、第１の実施の形態の送風装置としての換気装置の一例を示す構成図、図２は、第１の実施の形態の換気装置の設置例を示す構成図である。
【００１２】
第１の実施の形態の換気装置１Ａは、空気を吸い込んで吹き出す送風ファン部２Ａを備える。送風ファン部２Ａは送風手段の一例で、回転駆動される多翼のファン２１と、ファン２１を回転駆動するファンモータ２１ａと、給気風路２０ＳＡの一部を形成するファンケース２２を備える。
【００１３】
換気装置１Ａは、ファン２１の軸方向に沿ったファンケース２２の下面にファン吸込口２２ａを備え、ファンケース２２は、ファン２１が回転駆動されることでファン吸込口２２ａから吸い込んだ空気を、ファン２１の接線方向に吹き出す風路を形成する。
【００１４】
換気装置１Ａは、本体ケース２３の一の側面に、ファン吸込口２２ａと連通して外気吸込口２４を備えると共に、ファンケース２２による吹出方向となる本体ケース２３の他の側面に給気吹出口２５を備え、送風ファン部２Ａを通り、外気吸込口２４と給気吹出口２５を連通させた給気風路２０ＳＡが形成される。
【００１５】
換気装置１Ａは、給気風路２０ＳＡ等に抗菌性を有した金属イオンである銀イオン（Ａｇ+）を供給する銀イオン供給装置３を備える。銀イオン供給装置３は金属イオン供給手段の一例で、例えば、図１（ａ）に示すように、給気吹出口２５に銀イオンを供給できる配置で、単数または複数の銀イオン噴霧ノズル３１を備える。
【００１６】
また、換気装置１Ａは、銀イオン噴霧ノズル３１から噴霧された銀イオンを含む銀イオン水の余剰分及び風路中で発生した結露水を回収するドレンパン４を備える。
【００１７】
更に、換気装置１Ａは、外気吸込口２４に吸込口ダクトジョイント２４ａを備えると共に、給気吹出口２５に吹出口ダクトジョイント２５ａを備える。
【００１８】
換気装置１Ａは、図２に示すように、建物２００の天井裏に設置され、吸込口ダクトジョイント２４ａが、建物２００の外壁に設置される屋外グリル４０とダクト４０ａを介して接続される。また、吹出口ダクトジョイント２５ａが、部屋２０１の天井に設置される給気グリル４１とダクト４１ａを介して接続される。
【００１９】
ここで、ダクト４０ａは、屋外グリル４０方向に下降する傾斜が付けられており、ダクト４０ａ内に残留した結露水が、屋外に排出されるようになっている。また、ダクト４１ａは、換気装置１Ａ方向に下降する傾斜が付けられており、ダクト４１ａ内に残留した結露水や銀イオン水が、給気グリル４１方向に流れないようにして、給気グリル４１から室内に滴下しないようになっている。
【００２０】
図３は、銀イオン供給装置の一例を示す構成図である。第１例の銀イオン供給装置３Ａは、銀イオン噴霧ノズル３１が銀イオン発生装置３２Ａに接続される。
【００２１】
銀イオン発生装置３２Ａは、貯水槽３３と、貯水槽３３に漬けられた銀イオンペレット３４と、貯水槽３３内の水を攪拌する回転羽根３５と、回転羽根３５を回転駆動するモータ３５ａを備える。
【００２２】
また、銀イオン発生装置３２Ａは、貯水槽３３に水を供給する給水配管３６と、給水量等を制御するバルブ３６ａを備える。
【００２３】
銀イオン発生装置３２Ａは、貯水槽３３に貯められた水に銀イオンペレット３４が漬けられていることで、水を流さない状態でも銀イオンが溶け出す。そして、給水配管３６から供給される水道圧により、銀イオン噴霧ノズル３１から銀イオンを含む金属イオン水である銀イオン水が噴霧される。
【００２４】
また、給水配管３６から供給される水で貯水槽３３内に対流を発生させることによっても銀イオンが溶け出し、銀イオンの濃度を上げることができる。更に銀イオンの濃度を上げるためには、回転羽根３５を回転させて、貯水槽３３内の対流を促進させることで、銀イオンの溶解が促進される。
【００２５】
なお、本例では、水道圧によって銀イオン噴霧ノズル３１から銀イオン水を噴霧する構成としたが、銀イオン噴霧ノズル３１の手前に図示しないポンプを備え、ポンプによって貯水槽３３から水を汲み出す圧力で、銀イオン噴霧ノズル３１から噴霧する構成としても良い。
【００２６】
銀イオンの濃度制御は、バルブ３６ａの開度を調整することにより、貯水槽３３に供給する水道水の流量を調整することで行われる。または、モータ３５ａにより回転羽根３５の回転速度を調整しても良く、図示しないポンプによる貯水槽３３内の循環水量を調整しても良い。
【００２７】
図４は、銀イオン供給装置の他の例を示す構成図である。第２例の銀イオン供給装置３Ｂは、銀イオン噴霧ノズル３１が銀イオン発生装置３２Ｂに接続される。
【００２８】
銀イオン発生装置３２Ｂは、銀イオンが含まれる水が貯められる銀イオン水貯水槽３７と、銀イオン水貯水槽３７に水を供給する給水配管３８と、給水量等を制御するバルブ３８ａと、銀イオン水貯水槽３７から銀イオン水を汲み出して、給水配管３８から供給される水（水道水）と混合させる２液混合ポンプ３９を備える。
【００２９】
銀イオン発生装置３２Ｂは、銀イオン水貯水槽３７から２液混合ポンプ３９で銀イオン水を汲み出して、給水配管３８から供給される水と混合させ、水道圧等によって銀イオン噴霧ノズル３１から銀イオン水を噴霧する。
【００３０】
２液混合ポンプ３９では、水道水供給量が変化しても、銀イオン濃度を一定とする制御が行われる。ここで、銀イオンペレットを用いる構成の場合、水温や水道水中のカルシウム（Ｃａ）等の不純物の存在で溶解速度が変化するのに対して、液体を一定量で混合できるようした場合、銀イオン濃度をより一定に制御できる。
【００３１】
なお、銀イオン等の金属イオンは、一対の電極を水に浸して電極間に電圧を印加することにより、陽極側の電極から溶出する。そこで、銀イオン発生装置としては、給水配管とつながって水の流入口と排出口を有し、絶縁材料から構成される貯水槽を備え、貯水槽の内部に２枚の板状電極を所定の間隔をおいて配置し、陽極を銀で構成する。
【００３２】
陽極が銀であると、電極間に電圧を印加することにより、Ａｇ→Ａｇ+＋ｅ-の反応が起こり、水中に銀イオンが溶出する。そして、水道水の圧力等により、銀イオン水を銀イオン噴霧ノズルから噴霧するようにしても良い。
【００３３】
図５は、銀イオン供給装置の更に他の例を示す構成図である。第３例の銀イオン供給装置３Ｃは、図４に示す銀イオン供給装置３Ｂの２液混合ポンプに代えて、銀イオン噴霧ノズル３１にエジェクタ５０が接続される。
【００３４】
エジェクタ５０は、図４に示す給水配管３８から水が供給される一次流路５１を先窄まりにしてノズル部５２が形成される。また、図４に示す銀イオン水貯水槽３７から、水に混合させる銀イオン水を吸い込むための二次流路５４が、ノズル部５２に直交する方向に連通される。そして、銀イオン水が混合した水を放出するディフューザ部５５が、ノズル部５２の延長線上に連通される。
【００３５】
ディフューザ部５５は、拡散室５３に開口する第１のディフューザ部５６と、第１のディフューザ部５６に連続する第２のディフューザ部５７とで構成され、第１のディフューザ部５６の内径をノズル部５２の内径とほぼ等しく、第２のディフューザ部５７の内径を第１のディフューザ部５６の内径よりも大きく形成するとともに、第１のディフューザ部５６及び第２のディフューザ部５７の流路面積が入口から出口まで均一の大きさに形成されている。
【００３６】
銀イオン供給装置３Ｃは、エジェクタ５０の一次流路５１に接続された給水配管に備えられたバルブが開けられてエジェクタ５０に水が供給されると、エジェクタ５０では、水がノズル部５２から噴霧されて拡散室５３が負圧になることで、二次流路５４から銀イオン水が吸引され、銀イオン混合水がディフューザ部５５から放出される。
【００３７】
上述のように、ディフューザ部５５は、拡散室５３に開口する第１のディフューザ部５６の内径を入口から出口まで均一にし、第２のディフューザ部５７の内径を第１のディフューザ部５６の内径よりも大きくすることにより、銀イオン水の吸引量が低下することのないようにしている。
【００３８】
ここで、上述した各例では、金属イオンとして銀イオンを供給する構成としたが、抗菌作用がある金属イオンであれば、銀イオンではなく、銅イオン（Ｃｕ2+）等の他の金属イオンを供給する構成であっても良い。
【００３９】
＜第１の実施の形態の換気装置の動作例＞
次に、各図を参照して、第１の実施の形態の換気装置の動作例について説明する。
【００４０】
換気装置１Ａは、換気運転モードと抗菌モードを備える。通常の換気運転モードでは、換気装置１Ａは、送風ファン部２Ａを作動させると、屋外グリル４０からダクト４０ａを通って外気吸込口２４に外気ＯＡが吸い込まれる。
【００４１】
外気吸込口２４から吸い込まれた外気ＯＡは、給気風路２０ＳＡを通って給気吹出口２５から吹き出され、ダクト４１ａを通って給気グリル４１から給気ＳＡとして室内に吹き出される。これにより、換気運転モードでは、外気が建物２００内に取り入れられて、室内の換気が行われる。
【００４２】
抗菌モードでは、換気装置１Ａは、銀イオン供給装置３を作動させて、銀イオン噴霧ノズル３１から給気風路２０ＳＡに銀イオン水を噴霧する。銀イオン水の噴霧を停止した後、送風ファン部２Ａを作動させると、給気風路２０ＳＡを通る空気（外気）によって銀イオン水が乾燥され、給気風路２０ＳＡの壁面や、銀イオン噴霧ノズル３１より空気の流れる方向の下流に位置するダクト４１ａの内壁面に、銀または銀の化合物（以下、これらを総称して銀とする）が付着する。
【００４３】
これにより、室内に給気される空気が通る給気風路２０ＳＡやダクト４１ａに、銀による抗菌作用を持たせることができる。
【００４４】
なお、抗菌モードは、例えば一定時間毎や決まった日時毎に実行されるようにして、銀の付着を定期的に行うようにする。素材の表面に抗菌作用を持たせる加工を行った場合、汚れが付着すると抗菌作用が低下する。このため、定期的な洗浄を行って、汚れを除去する必要があるが、装置が天井裏に設置されている場合、洗浄作業は困難である。一方、本実施の形態では、風路内に汚れが付着したような場合でも、その上から銀を付着させることで、抗菌作用を継続的に持たせることが可能である。
【００４５】
抗菌モードの他の動作例としては、送風ファン部２Ａを所定の風量で作動させながら、銀イオン供給装置３を作動させて、銀イオン噴霧ノズル３１から給気風路２０ＳＡに銀イオン水を噴霧する。これにより、送風ファン部２Ａによる送風で、銀イオン水がダクト４１ａへ送られる。
【００４６】
そして、銀イオン水の噴霧を停止した後、送風ファン部２Ａを継続して作動させることで銀イオン水が乾燥され、給気風路２０ＳＡの壁面や、ダクト４１ａの内壁面に銀が付着する。
【００４７】
このように、送風ファン部２Ａによる送風で銀イオン水を送ることで、換気装置１Ａと給気グリル４１の配置に応じてダクト４１ａの経路長が長くなる場合でも、ダクト４１ａの全体に銀を付着させて、抗菌作用を持たせることができる。
【００４８】
抗菌モードの更に他の動作例としては、送風ファン部２Ａを所定の風量で作動させながら、銀イオン供給装置３を作動させて、銀イオン噴霧ノズル３１から給気風路２０ＳＡに銀イオン水を噴霧する。これにより、送風ファン部２Ａによる送風で、霧状の銀イオン水が給気グリル４１から室内に吹き出される。
【００４９】
そして、銀イオン水の噴霧を停止した後、送風ファン部２Ａを継続して作動させることで銀イオン水が乾燥され、給気風路２０ＳＡの壁面、ダクト４１ａの内壁面及び部屋２０１の壁面等に銀が付着する。
【００５０】
このように、送風ファン部２Ａによる送風で銀イオン水を送ることで、換気装置１Ａ本体や給気風路を構成するダクト４１ａだけでなく、部屋２０１の壁等、室内の抗菌対象物に銀を付着させて、抗菌作用を持たせることができる。
【００５１】
なお、図１（ｂ）に示すように、換気装置１Ａの外気吸込口２４付近に銀イオン噴霧ノズル３１を備えて、取り込んだ外気を銀イオン水により抗菌すると共に、換気装置１Ａ内に銀を付着させて抗菌作用を持たせるようにしても良い。
【００５２】
＜第２の実施の形態の換気装置の構成例＞
図６は、第２の実施の形態の換気装置の一例を示す構成図、図７は、第２の実施の形態の換気装置の設置例を示す構成図である。
【００５３】
第２の実施の形態の換気装置１Ｂは、外気を吸い込んで室内に給気すると共に、室内の空気を吸い込んで屋外に排気し、かつ、外気と室内の空気との間で熱交換を行う熱交換型の換気装置である。
【００５４】
このため、換気装置１Ｂは、外気ＯＡが吸い込まれる外気吸込口１２０ＯＡと、室内への給気ＳＡが吹き出される給気吹出口１２０ＳＡと、室内からの還気ＲＡが吸い込まれる室内吸込口１２０ＲＡと、屋外への排気ＥＡが排気される排気口１２０ＥＡを備える。
【００５５】
換気装置１Ｂは、外気吸込口１２０ＯＡから給気吹出口１２０ＳＡへつながる給気風路１２１ＳＡが形成され、外気吸込口１２０ＯＡから外気ＯＡを吸い込み、給気吹出口１２０ＳＡから給気ＳＡを吹き出す送風ファン部１２２を備える。
【００５６】
また、換気装置１Ｂは、室内吸込口１２０ＲＡから排気口１２０ＥＡへつながる排気風路１２１ＥＡが形成され、室内吸込口１２０ＲＡから還気ＲＡを吸い込み、排気口１２０ＥＡから排気ＥＡを排気する換気ファン部１２３を備える。
【００５７】
更に、外気吸込口１２０ＯＡから吸い込まれた外気ＯＡと室内吸込口１２０ＲＡから吸い込まれた還気ＲＡとの間で熱交換を行う熱交換素子１２４を備える。
【００５８】
送風ファン部１２２は送風手段の一例で、ファンモータ１２５に回転駆動される多翼のファン１２２ａと、給気風路１２１ＳＡの一部を形成するファンケース１２２ｂを備える。また、換気ファン部１２３は排気手段の一例で、ファンモータ１２５に回転駆動される多翼のファン１２３ａと、排気風路１２１ＥＡの一部を形成するファンケース１２３ｂを備える。
【００５９】
送風ファン部１２２は、ファン１２２ａの軸方向に沿ったファンケース１２２ｂの下面にファン吸込口１２２ｃが形成されると共に、ファン１２２ａの接線方向に沿ったファンケース１２２ｂの側面にファン吹出口１２２ｄが形成される。
【００６０】
また、換気ファン部１２３は、ファン１２３ａの軸方向に沿ったファンケース１２３ｂの下面にファン吸込口１２３ｃが形成されると共に、ファン１２３ａの接線方向に沿ったファンケース１２３ｂの側面にファン吹出口１２３ｄが形成される。
【００６１】
ファンモータ１２５は、本例では両軸のモータであり、駆動軸の上端側に送風ファン部１２２のファン１２２ａが取り付けられ、駆動軸の下端側に換気ファン部１２３のファン１２３ａが取り付けられて、送風ファン部１２２と換気ファン部１２３は、ファン吹出口１２２ｄとファン吹出口１２３ｄが逆向きとなるように、上下に重ねて配置される。
【００６２】
これにより、換気装置１Ｂは、単一の駆動源で送風ファン部１２２と換気ファン部１２３が駆動され、送風ファン部１２２は、ファン１２２ａが回転駆動されると、空気がファン吸込口１２２ｃから吸い込まれてファン吹出口１２２ｄから吹き出される。また、換気ファン部１２３は、ファン１２３ａが回転駆動されると、空気がファン吸込口１２３ｃから吸い込まれてファン吹出口１２３ｄから吹き出される。
【００６３】
熱交換素子１２４は熱交換手段の一例で、第１の熱交換風路１２４ａを形成する素材と第２の熱交換風路１２４ｂを形成する素材が、第１の熱交換風路１２４ａと第２の熱交換風路１２４ｂを直交する向きとして積層される。熱交換素子１２４は、第１の熱交換風路１２４ａと第２の熱交換風路１２４ｂが、熱伝導性を有すると共に空気を通さない隔壁で仕切られ、第１の熱交換風路１２４ａを通る空気と第２の熱交換風路１２４ｂを通る空気との間で熱交換される。
【００６４】
そして、換気装置１Ｂは、熱交換素子１２４の第１の熱交換風路１２４ａが給気風路１２１ＳＡと連通すると共に、第２の熱交換風路１２４ｂが排気風路１２１ＥＡと連通し、外気ＯＡと還気ＲＡとの間で熱交換が行われる。
【００６５】
また、換気装置１Ｂは、熱交換素子１２４の第１の熱交換風路１２４ａの吸込側に給気フィルタ１２６ＳＡを備えると共に、熱交換素子１２４の第２の熱交換風路１２４ｂの吸込側に排気フィルタ１２６ＥＡを備える。なお、給気フィルタ１２６ＳＡと排気フィルタ１２６ＥＡは、図示しないガイドレール等に引き出しできるように支持されて、交換可能な構成である。
【００６６】
換気装置１Ｂは、給気風路１２１ＳＡ及び排気風路１２１ＥＡ等に金属イオンとして銀イオンを供給する銀イオン供給装置３を備える。銀イオン供給装置３は、図３，図４または図５で説明した構成で良く、例えば、給気風路１２１ＳＡが通る熱交換素子１２４の第１の熱交換風路１２４ａの吹出側と、排気風路１２１ＥＡが通る熱交換素子１２４の第２の熱交換風路１２４ｂの吹出側に銀イオンを供給できる配置で、複数の銀イオン噴霧ノズル３１を備える。
【００６７】
また、換気装置１Ｂは、銀イオン噴霧ノズル３１から噴霧された銀イオン水の余剰分及び熱交換素子１２４で発生した結露水を回収するドレンパン１２７を備える。
【００６８】
更に、換気装置１Ｂは、外気吸込口１２０ＯＡに吸込口ダクトジョイント１２８ＯＡを備えると共に、給気吹出口１２０ＳＡに吹出口ダクトジョイント１２８ＳＡを備える。また、室内吸込口１２０ＲＡに吸込口ダクトジョイント１２８ＲＡを備えると共に、排気口１２０ＥＡに吹出口ダクトジョイント１２８ＥＡを備える。
【００６９】
換気装置１Ｂは、図７に示すように、建物２００の天井裏に設置され、吸込口ダクトジョイント１２８ＯＡが、建物２００の外壁に設置される屋外グリル４０とダクト４０ａを介して接続される。また、吹出口ダクトジョイント１２８ＳＡが、部屋２０１の天井に設置される給気グリル４１とダクト４１ａを介して接続される。
【００７０】
更に、吸込口ダクトジョイント１２８ＲＡが、部屋２０１の天井に設置される吸込グリル４２とダクト４２ａを介して接続され、吹出口ダクトジョイント１２８ＥＡが、建物２００の外壁に設置される屋外グリル４３とダクト４３ａを介して接続される。
【００７１】
ここで、ダクト４０ａ，４３ａは、屋外グリル４０，４３方向に下降する傾斜が付けられており、ダクト４０ａ，４３ａ内に残留した結露水が、屋外に排出されるようになっている。また、ダクト４１ａ，４２ａは、換気装置１Ｂ方向に下降する傾斜が付けられており、ダクト４１ａ，４２ａ内に残留した結露水や銀イオン水が、給気グリル４１及び吸込グリル４２方向に流れないようにして、給気グリル４１及び吸込グリル４２から室内に滴下しないようになっている。
【００７２】
＜第２の実施の形態の換気装置の動作例＞
次に、各図を参照して、第２の実施の形態の換気装置の動作例について説明する。
【００７３】
換気装置１Ｂは、換気運転モードと抗菌モードを備える。通常の換気運転モードでは、換気装置１Ｂは、送風ファン部１２２を作動させると、屋外グリル４０からダクト４０ａを通って外気吸込口１２０ＯＡに外気ＯＡが吸い込まれる。
【００７４】
外気吸込口１２０ＯＡから吸い込まれた外気ＯＡは、給気風路１２１ＳＡを通って給気吹出口１２０ＳＡから吹き出され、ダクト４１ａを通って給気グリル４１から給気ＳＡとして室内に吹き出される。
【００７５】
また、換気ファン部１２３を作動させると、吸込グリル４２からダクト４２ａを通って室内吸込口１２０ＲＡに室内からの還気ＲＡが吸い込まれる。
【００７６】
室内吸込口１２０ＲＡから吸い込まれた還気ＲＡは、排気風路１２１ＥＡを通って排気口１２０ＥＡから吹き出され、ダクト４３ａを通って屋外グリル４３から排気ＥＡとして屋外に排出される。
【００７７】
そして、外気吸込口１２０ＯＡから吸い込まれて給気風路１２１ＳＡを通る外気ＯＡと、室内吸込口１２０ＲＡから吸い込まれて排気風路１２１ＥＡを通る還気ＲＡが、熱交換素子１２４を通ることで熱交換されて、外気ＯＡは室温に近づけられる。
【００７８】
これにより、換気運転モードでは、外気が室温に近づけられて建物２００内に取り入れられると共に、建物内の空気が屋外に排気されて、室内の換気が行われる。
【００７９】
抗菌モードでは、換気装置１Ｂは、銀イオン供給装置３を作動させて、銀イオン噴霧ノズル３１から給気風路１２１ＳＡと排気風路１２１ＥＡに銀イオン水を噴霧する。銀イオン水の噴霧を停止した後、送風ファン部１２２と換気ファン部１２３を作動させると、給気風路１２１ＳＡを通る空気（外気）と排気風路１２１ＥＡを通る空気（還気）によって銀イオン水が乾燥され、給気風路１２１ＳＡの壁面や、銀イオン噴霧ノズル３１より空気の流れる方向の下流に位置するダクト４１ａの内壁面、及び熱交換素子１２４の各風路に銀が付着する。
【００８０】
これにより、室内に給気される空気が通る給気風路１２１ＳＡや熱交換素子１２４の第１の熱交換風路１２３ａ及びダクト４１ａに、銀による抗菌作用を持たせることができる。
【００８１】
ここで、銀イオン噴霧ノズル３１は、給気風路１２１ＳＡ側だけに備える構成としても良い。
【００８２】
なお、本例でも、抗菌モードは、例えば一定時間毎や決まった日時毎に実行されるようにして、銀の付着を定期的に行うようにする。これにより、風路内に汚れが付着したような場合でも、その上から銀を付着させることで、抗菌作用を継続的に持たせることが可能である。
【００８３】
抗菌モードの他の動作例としては、送風ファン部１２２を所定の風量で作動させながら、銀イオン供給装置３を作動させて、銀イオン噴霧ノズル３１から給気風路１２１ＳＡに銀イオン水を噴霧する。これにより、送風ファン部１２２による送風で、銀イオン水がダクト４１ａへ送られる。
【００８４】
そして、銀イオン水の噴霧を停止した後、送風ファン部１２２を継続して作動させることで銀イオン水が乾燥され、給気風路１２１ＳＡの壁面やダクト４１ａの内壁面及び熱交換素子１２４の各風路に銀が付着する。
【００８５】
このように、送風ファン部１２２による送風で銀イオン水を送ることで、換気装置１Ｂと給気グリル４１の配置に応じてダクト４１ａの経路長が長くなる場合でも、ダクト４１ａの全体に銀を付着させて、抗菌作用を持たせることができる。なお、排気風路１２１ＥＡ側でも、同様に抗菌作用を持たせることが可能である。
【００８６】
抗菌モードの更に他の動作例としては、送風ファン部１２２を所定の風量で作動させながら、銀イオン供給装置３を作動させて、銀イオン噴霧ノズル３１から給気風路１２１ＳＡに銀イオン水を噴霧する。これにより、送風ファン部１２２による送風で、霧状の銀イオン水が給気グリル４１から室内に吹き出される。
【００８７】
そして、銀イオン水の噴霧を停止した後、送風ファン部１２２を継続して作動させることで銀イオン水が乾燥され、給気風路１２１ＳＡの壁面、ダクト４１ａの内壁面、熱交換素子１２４及び部屋２０１の壁面等に銀が付着する。
【００８８】
このように、送風ファン部１２２による送風で銀イオン水を送ることで、換気装置１Ｂ本体や給気風路を構成する熱交換素子１２４及びダクト４１ａだけでなく、部屋２０１の壁等、室内の抗菌対象物に銀を付着させて、抗菌作用を持たせることができる。
【００８９】
＜第３の実施の形態の換気装置の構成例＞
図８は、第３の実施の形態の換気装置の一例を示す構成図、図９は、第３の実施の形態の換気装置の風路構成図、図１０は、第３の実施の形態の換気装置の風路を構成する部材の分解斜視図、図１１は、第３の実施の形態の換気装置の設置例を示す構成図である。
【００９０】
第３の実施の形態の換気装置１Ｃは、空気の冷却及び加熱を行う空気調和機としてのヒートポンプ空調機２１０と、ヒートポンプ空調機２１０で調和される空気の温度調整及びヒートポンプ空調機２１０で調和された空気の除湿等を行う熱交換素子２１１を備え、外気を取り入れ、空気調和して室内に給気する空調換気機能を有する。
【００９１】
まず、図９等を参照して、ヒートポンプ空調機２１０の構成について説明する。
【００９２】
ヒートポンプ空調機２１０は、冷媒が流れる配管２２０と、室内に給気する空気と冷媒との間で熱交換を行う第１の熱交換器２２１と、室外に排出する空気と冷媒との間で熱交換を行う第２の熱交換器２２２を備える。
【００９３】
また、ヒートポンプ空調機２１０は、配管２２０を流れる冷媒を圧縮する圧縮機２２３と、配管２２０を流れる冷媒を減圧する膨張弁２２４と、冷媒の流れる方向を切り替える四方弁２２５を備える。
【００９４】
次に、熱交換素子２１１の構成について説明する。熱交換素子２１１は熱交換手段の一例で、空気が通る第１の熱交換風路２３０ａと、第１の熱交換風路２３０ａと仕切られて空気が通る第２の熱交換風路２３０ｂを備え、第１の熱交換風路２３０ａを通る空気と第２の熱交換風路２３０ｂを通る空気との間で熱交換が行われる。
【００９５】
次に、換気装置１Ｃにおける風路の構成について説明する。換気装置１Ｃは、外気吸込口２５１から取り入れた外気ＯＡを、熱交換素子２１１を通して給気吹出口２５２から給気ＳＡとして吹き出させる熱交換給気風路２５３Ａを備える。また、換気装置１Ｃは、外気吸込口２５１から取り入れた外気ＯＡを、熱交換素子２１１をバイパスさせる非熱交換給気風路２５３Ｂを備える。
【００９６】
熱交換給気風路２５３Ａと非熱交換給気風路２５３Ｂは、熱交換素子２１１が収納される収納箱部２８０ａ，２８０ｂと、収納箱部２８０ａ，２８０ｂが収納される筐体２８１ａ，２８１ｂと、ヒートポンプ空調機２１０の第１の熱交換器２２１が収納される筐体２８２ａ，２８２ｂ等により構成される。
【００９７】
外気吸込口２５１は、熱交換素子２１１が収納される上下一対の収納箱部２８０ａ，２８０ｂにおいて、上側の収納箱部２８０ａの正面を開口して形成され、第１の吸込口２５１ａと第２の吸込口２５１ｂが並列される。
【００９８】
収納箱部２８０ａ，２８０ｂは、所定の形状で仕切られた断熱材等で構成され、第１の吸込口２５１ａと連通する中央部分に熱交換素子２１１が収納される。収納箱部２８０ａ，２８０ｂに収納される熱交換素子２１１は、図８等に示す第１の熱交換風路２３０ａと第２の熱交換風路２３０ｂによって、熱交換給気風路２５３Ａの一部を構成する。そして、収納箱部２８０ａ，２８０ｂは、熱交換素子２１１の両側に、第２の吸込口２５１ｂと連通する非熱交換給気風路２５３Ｂが形成される。
【００９９】
また、収納箱部２８０ａ，２８０ｂは、熱交換素子２１１が収納されると、熱交換素子２１１の第２の熱交換風路２３０ｂの吹出側と連通する開口部２８０ｃが、収納箱部２８０ａの上面に形成される。更に、熱交換素子２１１の第１の熱交換風路２３０ａの吹出側と連通する開口部、及び第２の熱交換風路２３０ｂの吸込側と連通する開口部と、非熱交換給気風路２５３Ｂと連通する開口部が、それぞれ図示しないが収納箱部２８０ｂの下面に形成される。
【０１００】
収納箱部２８０ａ，２８０ｂが収納される筐体２８１ａ，２８１ｂは、筐体２８１ａの正面の一部が開口して外気吸込口２５１が露出されると共に、下面が開口して収納箱部２８０ｂの下面の図示しない各開口部が露出される。また、収納箱部２８０ａの開口部２８０ｃと連通する吹出部２８１ｃが、筐体２８１ａの上面に取り付けられる筐体２８１ｂに形成される。
【０１０１】
第１の熱交換器２２１が収納される筐体２８２ａ，２８２ｂは、収納箱部２８０ａ，２８０ｂに収納されて熱交換素子２１１が取り付けられた筐体２８１ａ，２８１ｂが、筐体２８２ａの上部に取り付けられる。
【０１０２】
また、筐体２８２ａ，２８２ｂは、収納箱部２８０ａ，２８０ｂに収納された熱交換素子２１１の第１の熱交換風路２３０ａの吹出側及び収納箱部２８０ａ，２８０ｂにより構成される非熱交換給気風路２５３Ｂと連通する開口部２８２ｃが、第１の熱交換器２２１で仕切られた一方の空間と連通して、筐体２８２ａの上面に形成される。
【０１０３】
更に、筐体２８２ａ，２８２ｂは、収納箱部２８０ａ，２８０ｂに収納された熱交換素子２１１の第２の熱交換風路２３０ａの吸込側と連通する開口部２８２ｄが、第１の熱交換器２２１で仕切られた他方の空間と連通して、筐体２８２ａの上面に形成される。
【０１０４】
これにより、熱交換給気風路２５３Ａは、外気吸込口２５１の第１の吸込口２５１ａと熱交換素子２１１の第１の熱交換風路２３０ａの吸込側を連通させる。また、第１の熱交換風路２３０ａの吹出側を、ヒートポンプ空調機２１０の第１の熱交換器２２１を通して第２の熱交換風路２３０ｂの吸込側に連通させる。更に、第２の熱交換風路２３０ｂの吹出側を給気吹出口２５２と連通させる。
【０１０５】
非熱交換給気風路２５３Ｂは、熱交換素子２１１の第１の熱交換風路２３０ａをバイパスして、外気吸込口２５１の第２の吸込口２５１ｂをヒートポンプ空調機２１０の第１の熱交換器２２１より上流の熱交換給気風路２５３Ａと連通させる。
【０１０６】
換気装置１Ｃは、熱交換給気風路２５３Ａ及び非熱交換給気風路２５３Ｂで、外気吸込口２５１から外気ＯＡを吸い込んで、給気吹出口２５２から吹き出させる送風手段としての送風ファン部２５４を備える。
【０１０７】
また、換気装置１Ｃは、吸い込んだ外気ＯＡの熱交換給気風路２５３Ａと非熱交換給気風路２５３Ｂへの分配比率を調整する風路開閉ダンパ２５５を備える。風路開閉ダンパ２５５は風路開閉手段の一例で、本例では、熱交換給気風路２５３Ａと連通した第１の吸込口２５１ａと、非熱交換給気風路２５３Ｂと連通した第２の吸込口２５１ｂの双方に備えられる。
【０１０８】
図１２は、風路開閉ダンパの構成例を示す斜視図である。風路開閉ダンパ２５５は、第１の吸込口２５１ａを開閉する第１のダンパ２５５ａの両側に、第２の吸込口２５１ｂを開閉する第２のダンパ２５５ｂを有し、第１のダンパ２５５ａと第２のダンパ２５５ｂが、９０°位相を異ならせて同じ軸部２５５ｃに備えられる。
【０１０９】
第１のダンパ２５５ａと第２のダンパ２５５ｂは、それぞれ複数の板状の部材で構成され、各ダンパの軸部２５５ｃに取り付けられた図示しないギアまたはリンク等によって、複数のダンパが連動する。
【０１１０】
これにより、軸部２５５ｃの回転動作で第１のダンパ２５５ａと第２のダンパ２５５ｂが作動して、第１の吸込口２５１ａと第２の吸込口２５１ｂの開閉が切り替えられる。
【０１１１】
すなわち、第１のダンパ２５５ａで第１の吸込口２５１ａを全開とすると、第２のダンパ２５５ｂは位相が９０°ずれているので、第２の吸込口２５１ｂは全閉となる。一方、第２のダンパ２５５ｂで第２の吸込口２５１ｂを全開とすると、第１のダンパ２５５ａで第１の吸込口２５１ａは全閉となる。
【０１１２】
また、第１の吸込口２５１ａを全開としている状態から、第１のダンパ２５５ａの開度を徐々に閉じていくと、第２のダンパ２５５ｂは、第２の吸込口２５１ｂを全閉としている状態から徐々に開く。一方、第２の吸込口２５１ｂを全開としている状態から、第２のダンパ２５５ｂの開度を徐々に閉じていくと、第１のダンパ２５５ａは、第１の吸込口２５１ａを全閉としている状態から徐々に開く。
【０１１３】
従って、第１のダンパ２５５ａの動作で、図９等に示す熱交換給気風路２５３Ａを通る空気の風量を１００％から０％に調整できると共に、第２のダンパ２５５ｂが第１のダンパ２５５ａと連動することで、非熱交換給気風路２５３Ｂを通る空気の風量を０％から１００％に調整できる。
【０１１４】
よって、第１のダンパ２５５ａと第２のダンパ２５５ｂの開度によって、外気ＯＡの全てを熱交換素子２１１の第１の熱交換風路２３０ａを通して、第２の熱交換風路２３０ｂを通る空気との間で熱交換させる風路構成と、外気ＯＡの全てを非熱交換給気風路２５３Ｂを通して、熱交換素子２１１で熱交換を行わない風路構成と、外気ＯＡの所定量を熱交換素子２１１の第１の熱交換風路２３０ａを通し、残部を非熱交換給気風路２５３Ｂを通して、外気ＯＡの所定量を熱交換させる風路構成が選択可能となる。
【０１１５】
また、１つのモータで、２つの吸込口を開閉して風路を切り替えることができるので、低コストで風路を切り替える構成を実現できる。
【０１１６】
次に、各図を参照して換気装置１Ｃにおける除加湿の構成について説明する。
【０１１７】
換気装置１Ｃは、熱交換素子２１１及びヒートポンプ空調機２１０の第１の熱交換器２２１の下方に水回収手段としてドレンパン２６０を備える。本例では、熱交換素子２１１を上側として、熱交換素子２１１と第１の熱交換器２２１が上下に配置されており、第１の熱交換器２２１の下方にドレンパン２６０を設けている。これにより、熱交換素子２１１及び第１の熱交換器２２１で発生された結露水が、ドレンパン２６０に滴下されて回収される。
【０１１８】
また、換気装置１Ｃは、非熱交換給気風路２５３Ｂの合流箇所より下流の熱交換給気風路２５３Ａに加湿手段としての散水装置２６２を備える。非熱交換給気風路２５３Ｂは、ヒートポンプ空調機２１０の第１の熱交換器２２１より上流で熱交換給気風路２５３Ａと合流しており、本例では、熱交換素子２１１の第２の熱交換風路２３０ｂの吸込側と、第１の熱交換器２２１との間の風路に、霧状のミストを噴霧するノズルを備える。
【０１１９】
更に、換気装置１Ｃは、熱交換素子２１１等に金属イオンである銀イオンを供給する銀イオン供給装置３を備える。銀イオン供給装置３は図３，図４または図５で説明した構成で良く、例えば、熱交換給気風路２５３Ａが通る熱交換素子２１１の第１の熱交換風路２３０ａと第２の熱交換風路２３０ｂの双方、及び熱交換素子２１１をバイパスする非熱交換給気風路２５３Ｂに銀イオンを供給できる配置で、単数または複数の銀イオン噴霧ノズル３１を備える。なお、銀イオン噴霧ノズル３１を、散水装置２６２のノズルと兼用する構成としても良い。
【０１２０】
換気装置１Ｃは、給気吹出口２５２に吹出口ダクトジョイント２７０を備え、図１１に示すように、吹出口ダクトジョイント２７０が、部屋２０１の天井に設置される給気グリル４１とダクト４１ａを介して接続される。
【０１２１】
＜第３の実施の形態の換気装置の動作例＞
次に、各図を参照して、第３の実施の形態の換気装置１Ｃの動作について説明する。
【０１２２】
（１）除湿モード及び衣類乾燥モードの動作例
除湿モード及び衣類乾燥モードでは、風路開閉ダンパ２５５の動作で第１のダンパ２５５ａを開けて、熱交換給気風路２５３Ａと連通する第１の吸込口２５１ａを全開にすると共に、非熱交換給気風路２５３Ｂと連通する第２の吸込口２５１ｂを、第１のダンパ２５５ａと連動する第２のダンパ２５５ｂによって全閉にして、外気ＯＡの全量を熱交換素子２１１の第１の熱交換風路２３０ａに供給する。なお、以下の説明で外気ＯＡの全量とは、略全量を含む実質的な全量を意味している。
【０１２３】
また、ヒートポンプ空調機２１０は、四方弁２２５により冷凍サイクルを構成して圧縮機２２３を作動させることで、第１の熱交換器２２１を蒸発器として機能させ、蒸発器による冷媒の吸熱作用で外気ＯＡの冷却を行う。このとき、第２の熱交換器２２２は凝縮器として機能し、冷媒を冷却して液化させている。
【０１２４】
以上の状態で、送風ファン部２５４を作動させると、外気吸込口２５１の第１の吸込口２５１ａから外気ＯＡが吸い込まれ、外気ＯＡの全量が熱交換給気風路２５３Ａへ供給される。
【０１２５】
熱交換給気風路２５３Ａでは、熱交換素子２１１の第１の熱交換風路２３０ａを外気ＯＡが通り、第１の熱交換風路２３０ａを通った外気ＯＡがヒートポンプ空調機２１０の第１の熱交換器２２１を通る。そして、冷凍サイクルの蒸発器として機能している第１の熱交換器２２１を通った外気ＯＡが、熱交換素子２１１に戻り第２の熱交換風路２３０ｂを通る。
【０１２６】
外気ＯＡは、熱交換素子２１１を通ることで、ヒートポンプ空調機２１０で冷却された空気との間で熱交換されて、温度が下げられる。
【０１２７】
また、ヒートポンプ空調機２１０で冷却される空気は、熱交換素子２１１で熱交換されて温度が下げられた外気ＯＡである。このとき、熱交換素子２１１の第１の熱交換風路２３０ａを通る外気ＯＡと、第２の熱交換風路２３０ｂを通る冷却された外気ＯＡとの温度差に応じて、第１の熱交換風路２３０ａを通る外気ＯＡが温度低下によって飽和状態となり、第１の熱交換風路２３０ａを通る外気ＯＡ中の水分が結露して除湿が行われる。
【０１２８】
更に、外気ＯＡは、冷凍サイクルの蒸発器として機能している第１の熱交換器２２１を通ることで水分が結露して除湿される。このとき、外気ＯＡは第１の熱交換器２２１への導入前に温度が下げられていることから相対湿度が上昇しており、ヒートポンプ空調機２１０による冷却能力を上げることなく、すなわち、消費電力を増加させることなく除湿量を増加させて、夏季では高温中湿の外気ＯＡを、必要以上の温度低下を抑えた中温低湿の空気とする。
【０１２９】
そして、熱交換素子２１１及びヒートポンプ空調機２１０を通って中温低湿となった外気ＯＡは、給気吹出口２５２からダクト４１ａを通り、給気グリル４１から給気ＳＡとして室内に給気される。
【０１３０】
なお、熱交換素子２１１及び第１の熱交換器２２１で発生した結露水はドレンパン２６０で回収され、室外へ排水される。
【０１３１】
除湿モード及び衣類乾燥モードでは、外気ＯＡが通る風路を、熱交換素子２１１の第１の熱交換風路２３０ａを通る風路に切り替えることで、給気による室内の換気を行いながら、室内を冷やし過ぎることなく、室内の除湿が可能となり、室内の相対湿度を低下させて、夏季等に涼しさを得られるようにすることができる。また、室内の湿度を下げることで、衣類の乾燥を促進させることができる。
【０１３２】
また、熱交換素子２１１とヒートポンプ空調機２１０の作用で除湿を行って、ドレンパン２６０で結露水を回収することで、給気グリル４１での結露の発生を防ぐことができる。そして、除湿量を増やしても空気の再加熱の必要がないので、ヒータ等が不要であり、装置構成の複雑化を防ぐことができる。
【０１３３】
（２）冷房モードの動作例
冷房モードでは、風路開閉ダンパ２５５の動作で第２のダンパ２５５ｂを開けて、非熱交換給気風路２５３Ｂと連通する第２の吸込口２５１ｂを全開にすると共に、熱交換給気風路２５３Ａと連通する第１の吸込口２５１ａを、第２のダンパ２５５ｂと連動する第１のダンパ２５５ａによって全閉にして、外気ＯＡの全量を熱交換素子２１１の第１の熱交換風路２３０ａをバイパスさせる。
【０１３４】
また、ヒートポンプ空調機２１０は、冷凍サイクルを構成して第１の熱交換器２１を蒸発器として機能させ、蒸発器による冷媒の吸熱作用で外気ＯＡの冷却を行う。
【０１３５】
以上の状態で、送風ファン部２５４を作動させると、外気吸込口２５１の第２の吸込口２５１ｂから外気ＯＡが吸い込まれ、外気ＯＡの全量が非熱交換給気風路２５３Ｂへ供給される。非熱交換給気風路２５３Ｂでは、熱交換素子２１１の第１の熱交換風路２３０ａをバイパスして、外気ＯＡがヒートポンプ空調機２１０の第１の熱交換器２２１へ供給される。
【０１３６】
そして、冷凍サイクルの蒸発器として機能している第１の熱交換器２２１を通ることで冷却された外気ＯＡが、熱交換素子２１１の第２の熱交換風路２３０ｂを通り、給気吹出口２５２からダクト４１ａを通り、給気グリル４１から給気ＳＡとして室内に給気される。
【０１３７】
なお、第１の熱交換器２２１で発生した結露水はドレンパン２６０で回収され、室外へ排水される。
【０１３８】
冷房モードでは、外気ＯＡが通る風路を、熱交換素子２１１の第１の熱交換風路２３０ａをバイパスさせる非熱交換給気風路２５３Ｂに切り替えることで、夏季で温度が高い外気ＯＡと、ヒートポンプ空調機２１０で冷却された空気との間で熱交換が行われない。
【０１３９】
これにより、ヒートポンプ空調機２１０で冷却された外気ＯＡの温度上昇を防ぎ、高温の外気ＯＡを、ヒートポンプ空調機２１０の運転能力に応じて中温あるいは低温の空気として給気し、室内の冷房を行うことができる。また、給気による室内の換気を行うことができる。
【０１４０】
（３）加湿暖房モードの動作例
加湿暖房モードでは、風路開閉ダンパ２５５の動作で第２のダンパ２５５ｂを開けて、非熱交換給気風路２５３Ｂと連通する第２の吸込口２５１ｂを全開にすると共に、熱交換給気風路２５３Ａと連通する第１の吸込口２５１ａを、第２のダンパ２５５ｂと連動する第１のダンパ２５５ａによって全閉にして、外気ＯＡの全量を熱交換素子２１１の第１の熱交換風路２３０ａをバイパスさせる。
【０１４１】
また、ヒートポンプ空調機２１０は、四方弁２２５によりヒートポンプを構成して圧縮機２２３を作動させることで、第１の熱交換器２２１を凝縮器として機能させ、凝縮器による冷媒の放熱作用で外気ＯＡの加熱を行う。このとき、第２の熱交換器２２２は蒸発器として機能し、冷媒を気化させている。
【０１４２】
更に、ヒートポンプ空調機２１０の第１の熱交換器２２１より下流の非熱交換給気風路２５３Ｂに、散水装置２６２によって散水を行う。
【０１４３】
以上の状態で、送風ファン部２５４を作動させると、外気吸込口２５１の第２の吸込口２５１ｂから外気ＯＡが吸い込まれ、外気ＯＡの全量が非熱交換給気風路２５３Ｂへ供給される。非熱交換給気風路２５３Ｂでは、熱交換素子２１１の第１の熱交換風路２３０ａをバイパスして、外気ＯＡがヒートポンプ空調機２１０の第１の熱交換器２２１へ供給される。
【０１４４】
そして、ヒートポンプの凝縮器として機能している第１の熱交換器２２１を通ることで加熱された外気ＯＡが、散水装置２６２による散水で加湿され、熱交換素子２１１の第２の熱交換風路２３０ｂを通り、給気吹出口２５２からダクト４１ａを通り、給気グリル４１から給気ＳＡとして室内に給気される。
【０１４５】
なお、散水装置２６２によって散水された水の余剰分はドレンパン２６０で回収され、室外へ排水される。
【０１４６】
加湿暖房モードでは、外気ＯＡが通る風路を、熱交換素子２１１の第１の熱交換風路２３０ａをバイパスさせる非熱交換給気風路２５３Ｂに切り替えることで、冬季で温度が低い外気ＯＡと、ヒートポンプ空調機２１０で加熱された空気との間で熱交換が行われない。
【０１４７】
これにより、ヒートポンプ空調機２１０で加熱された外気ＯＡの温度低下を防ぎ、低温低湿の外気ＯＡを、ヒートポンプ空調機２１０の運転能力と、散水装置２６２の給水量に応じて中温高湿の空気として給気して、室内の加湿暖房を行うことができ、別の加湿装置を設置することなく、室内の過乾燥を防ぐことができる。また、給気による室内の換気を行うことができる。
【０１４８】
更に、ヒートポンプ空調機２１０で加熱された外気ＯＡの温度低下を防ぐことで、給気される空気が飽和状態になることを防ぎ、加湿のために散水した水が結露して排水される無駄を低減することができる。
【０１４９】
（４）暖房モードの動作例
暖房モードでは、風路開閉ダンパ２５５の動作で第２のダンパ２５５ｂを開けて、非熱交換給気風路２５３Ｂと連通する第２の吸込口２５１ｂを全開にすると共に、熱交換給気風路２５３Ａと連通する第１の吸込口２５１ａを、第２のダンパ２５５ｂと連動する第１のダンパ２５５ａによって全閉にして、外気ＯＡの全量を熱交換素子２１１の第１の熱交換風路２３０ａをバイパスさせる。
【０１５０】
また、ヒートポンプ空調機２１０は、ヒートポンプを構成して第１の熱交換器２２１を凝縮器として機能させ、凝縮器による冷媒の放熱作用で外気ＯＡの加熱を行う。
【０１５１】
以上の状態で、送風ファン部２５４を作動させると、外気吸込口２５１の第２の吸込口２５１ｂから外気ＯＡが吸い込まれ、外気ＯＡの全量が非熱交換給気風路２５３Ｂへ供給される。非熱交換給気風路２５３Ｂでは、熱交換素子２１１の第１の熱交換風路２３０ａをバイパスして、外気ＯＡがヒートポンプ空調機２１０の第１の熱交換器２２１へ供給される。
【０１５２】
そして、ヒートポンプの凝縮器として機能している第１の熱交換器２２１を通ることで加熱された外気ＯＡが、熱交換素子２１０の第２の熱交換風路２３０ｂを通り、給気吹出口２５２からダクト４１ａを通り、給気グリル４１から給気ＳＡとして室内に給気される。
【０１５３】
暖房モードでは、外気ＯＡが通る風路を、熱交換素子２１１の第１の熱交換風路２３０ａをバイパスさせる非熱交換給気風路２５３Ｂに切り替えることで、冬季で温度が低い外気ＯＡと、ヒートポンプ空調機２１０で加熱された空気との間で熱交換が行われない。
【０１５４】
これにより、ヒートポンプ空調機２１０で加熱された外気ＯＡの温度低下を防ぎ、低温の外気ＯＡを、ヒートポンプ空調機２１０の運転能力に応じて中温の空気として給気して、室内の暖房を行うことができる。また、給気による室内の換気を行うことができる。
【０１５５】
（５）抗菌モードの動作例
抗菌モードでは、銀イオン供給装置３を作動させて、銀イオン噴霧ノズル３１から熱交換給気風路２５３Ａと非熱交換給気風路２５３Ｂに銀イオン水を噴霧する。銀イオン水の噴霧を停止した後、風路開閉ダンパ２５５の第１のダンパ２５５ａと第２のダンパ２５５ｂの動作で、例えば第１の吸込口２５１ａと第２の２５１ｂの双方を開けて、送風ファン部２５４を作動させると、熱交換給気風路２５３Ａ及び非熱交換給気風路２５３Ｂを通る空気（外気）によって銀イオン水が乾燥され、熱交換給気風路２５３Ａ及び非熱交換給気風路２５３Ｂの壁面や、ダクト４１ａの内壁面、及び熱交換素子２１１の各風路に銀が付着する。
【０１５６】
これにより、室内に給気される空気が通る熱交換給気風路２５３Ａ及び非熱交換給気風路２５３Ｂと、熱交換素子２１１の各風路及びダクト４１ａに、銀による抗菌作用を持たせることができる。
【０１５７】
なお、本例でも、抗菌モードは、例えば一定時間毎や決まった日時毎に実行されるようにして、銀の付着を定期的に行うようにする。これにより、風路内に汚れが付着したような場合でも、その上から銀を付着させることで、抗菌作用を継続的に持たせることが可能である。
【０１５８】
抗菌モードの他の動作例としては、送風ファン部２５４を所定の風量で作動させながら、銀イオン供給装置３を作動させて、銀イオン噴霧ノズル３１から熱交換給気風路２５３Ａと非熱交換給気風路２５３Ｂに銀イオン水を噴霧する。これにより、送風ファン部２５４による送風で、銀イオン水がダクト４１ａへ送られる。
【０１５９】
そして、銀イオン水の噴霧を停止した後、送風ファン部２５４を継続して作動させることで銀イオン水が乾燥され、熱交換給気風路２５３Ａ及び非熱交換給気風路２５３Ｂの壁面やダクト４１ａの内壁面及び熱交換素子２１１の各風路に銀が付着する。
【０１６０】
このように、送風ファン部２５４による送風で銀イオン水を送ることで、換気装置１Ｃと給気グリル４１の配置に応じてダクト４１ａの経路長が長くなる場合でも、ダクト４１ａの全体に銀を付着させて、抗菌作用を持たせることができる。
【０１６１】
抗菌モードの更に他の動作例としては、送風ファン部２５４を所定の風量で作動させながら、銀イオン供給装置３を作動させて、銀イオン噴霧ノズル３１から熱交換給気風路２５３Ａと非熱交換給気風路２５３Ｂに銀イオン水を噴霧する。これにより、送風ファン部２５４による送風で、霧状の銀イオン水が給気グリル４１から室内に吹き出される。
【０１６２】
そして、銀イオン水の噴霧を停止した後、送風ファン部２５４を継続して作動させることで銀イオン水が乾燥され、熱交換給気風路２５３Ａ及び非熱交換給気風路２５３Ｂの壁面、ダクト４１ａの内壁面、熱交換素子２１１及び部屋２０１の壁面等に銀が付着する。
【０１６３】
このように、送風ファン部２５４による送風で銀イオン水を送ることで、換気装置１Ｃ本体や給気風路を構成する熱交換素子２１１及びダクト４１ａだけでなく、部屋２０１の壁等、室内の抗菌対象物に銀を付着させて、抗菌作用を持たせることができる。
【０１６４】
なお、上述した各実施の形態では、銀イオンを噴霧する銀イオン噴霧ノズル３１は装置本体内に備えられているが、室内に給気される空気が通るダクト４１ａに銀イオン噴霧ノズル３１を備えても良い。
【０１６５】
＜第４の実施の形態の換気装置の構成例＞
図１３は、第４の実施の形態の換気装置の一例を示す構成図で、銀イオンを室内に直接噴霧できるようにした構成である。
【０１６６】
第４の実施の形態の換気装置１Ｄは、室内として浴室３００の換気や暖房等を行う機能を有し、換気装置１Ｄと独立して、抗菌性を有した銀イオンを含む銀イオン水を浴室３００に供給する銀イオン供給装置３を備える。銀イオン供給装置３は、図３，図４または図５で説明した構成で良く、例えば、浴室３００の天井に単数または複数の銀イオン噴霧ノズル３１を備える。
【０１６７】
換気装置１Ｄは、図示しないファン部やヒータ等を備え、浴室３００の天井に設置されて、建物の外壁に設置される屋外グリル４４とダクト４４ａを介して接続される。
【０１６８】
そして、換気装置１Ｄは、浴室３００の空気を循環させて、室温に応じた空気を吹き出す機能、循環させる空気を加熱して浴室３００内に温風を吹き出す機能、浴室３００の空気を屋外に排気する機能等を備える。
【０１６９】
なお、図示しない給湯装置から供給される温水を霧状のミストにして浴室３００内に噴霧するミスト発生装置３０１を備えても良い。
【０１７０】
＜第４の実施の形態の換気装置の動作例＞
次に、各図を参照して、第４の実施の形態の換気装置の動作例について説明する。
【０１７１】
換気装置１Ｄは、通常の運転モードとして、浴室３００の空気を循環させながら温風を吹き出して、浴室３００の暖房を行う暖房運転モード、浴室３００内の空気を屋外に排気する換気運転モード、及び、浴室３００の空気を循環させながら温風を吹き出すと共に、浴室３００内の空気を屋外に排気する乾燥運転モード等を備える。
【０１７２】
また、ミスト発生装置３０１でミストを噴霧しながら、暖房運転を行うミスト運転モードを備える。
【０１７３】
更に、浴室３００を洗浄する抗菌モードを備える。抗菌モードでは、銀イオン供給装置３を作動させて、銀イオン噴霧ノズル３１から浴室３００に霧状の銀イオン水を噴霧する。銀イオン水の噴霧を停止した後、換気装置１Ｄで換気運転等を行うことで、浴室３００に供給された銀イオン水が乾燥され、浴室３００の壁面や床面等に銀が付着する。
【０１７４】
これにより、浴室３００の壁面等に銀による抗菌作用を持たせることができる。そして、抗菌モードは、例えば一定時間毎や決まった日時毎に実行されるようにして、銀の付着を定期的に行うようにする。これにより、浴室３００の壁面等に汚れが付着したような場合でも、その上から銀を付着させることで、抗菌作用を継続的に持たせることが可能である。
【０１７５】
なお、換気装置１Ｄ内にも銀イオン供給装置を備えて、装置本体の抗菌も行えるようにしても良い。
【産業上の利用可能性】
【０１７６】
本発明は、外気を取り入れて室内の換気及び除加湿と冷暖房を行う換気空調装置に適用される。
【図面の簡単な説明】
【０１７７】
【図１】第１の実施の形態の換気装置の一例を示す構成図である。
【図２】第１の実施の形態の換気装置の設置例を示す構成図である。
【図３】銀イオン供給装置の一例を示す構成図である。
【図４】銀イオン供給装置の他の例を示す構成図である。
【図５】銀イオン供給装置の更に他の例を示す構成図である。
【図６】第２の実施の形態の換気装置の一例を示す構成図である。
【図７】第２の実施の形態の換気装置の設置例を示す構成図である。
【図８】第３の実施の形態の換気装置の一例を示す構成図である。
【図９】第３の実施の形態の換気装置の風路構成図である。
【図１０】第３の実施の形態の換気装置の風路を構成する部材の分解斜視図
【図１１】第３の実施の形態の換気装置の設置例を示す構成図である。
【図１２】風路開閉ダンパの構成例を示す斜視図である。
【図１３】第４の実施の形態の換気装置の一例を示す構成図である。
【符号の説明】
【０１７８】
１Ａ，１Ｂ，１Ｃ，１Ｄ・・・換気装置、２Ａ・・・送風ファン部、２０Ａ・・・給気風路、２４・・・外気吸込口、２５・・・給気吹出口、３・・・銀イオン供給装置、３１・・・銀イオン噴霧ノズル、１２０ＯＡ・・・外気吸込口、１２０ＳＡ・・・給気吹出口、１２０ＲＡ・・・室内吸込口、１２０ＥＡ・・・排気口、１２１ＳＡ・・・給気風路、１２１ＥＡ・・・排気風路、１２２・・・送風ファン部、１２３・・・換気ファン部、１２４・・・熱交換素子、２１０・・・ヒートポンプ空調機、２１１・・・熱交換素子、２５１・・・外気吸込口、２５２・・・外気吹出口、２５３Ａ・・・熱交換給気風路、２５３Ｂ・・・非熱交換給気風路、２５４・・・送風ファン部、２５５・・・風路開閉ダンパ
【図１】
2008309429.tif 000003
【図２】
2008309429.tif 000004
【図３】
2008309429.tif 000005
【図４】
2008309429.tif 000006
【図５】
2008309429.tif 000007
【図６】
2008309429.tif 000008
【図７】
2008309429.tif 000009
【図８】
2008309429.tif 000010
【図９】
2008309429.tif 000011
【図１０】
2008309429.tif 000012
【図１１】
2008309429.tif 000013
【図１２】
2008309429.tif 000014
【図１３】
2008309429.tif 000015